(57)【要約】【課題】昇圧電源を備えたオーディオ装置のユニットにおいて、電源を入れた時の突入電流により内部回路素子の損傷やユニットの不安定作動、更には同じ電源で作動する各種機器の不安定作動を確実に防止可能な「昇圧電源作動時突入電流低減ユニット」とする。【解決手段】ＰＷＭ変調手段によるスイッチ作動によって電源電圧を昇圧してスピーカに出力するオーディオユニットにおいて、検出した電源電圧が下限閾値以下になったときにはＰＷＭ変調手段の作動をＯＦＦし、その後上限閾値以上になった時にはＰＷＭ変調手段の作動をＯＮする。ＰＷＭ変調手段の作動をＯＮしている時に、制御開始後所定時間が経過した時には突入電流制御手段による制御を終了する。【選択図】図１
2012235651.tif 000002
【特許請求の範囲】
【請求項１】
ＰＷＭ変調手段によるスイッチ作動によって電源電圧を昇圧してスピーカに出力するオーディオユニットにおいて、
前記ユニットに入力する電源電圧を検出する電源電圧検出手段と、
前記電源電圧の下限値と上限値を設定する基準電圧設定手段と、
前記電源電圧検出手段で検出した電圧が、前記基準電圧設定手段で設定した電源電圧の下限閾値以下になったか、或いは前記基準電圧設定手段で設定した電源電圧の上限閾値以上になったか否かを判別し、前記下限閾値以下になったと判別した時には前記ＰＷＭ変調手段の作動をＯＦＦし、前記上限閾値以上になった時には前記ＰＷＭ変調手段の作動をＯＮする出力を行うＰＷＭ変調作動可否判別手段とからなる突入電流制御手段を備えたことを特徴とする昇圧電源作動時突入電流低減ユニット。
【請求項２】
前記突入電流制御手段で制御を開始してからの経過時間を計測する制御経過時間計測手段と、
前記突入電流制御開始後の経過時間の基準時間を設定する制御基準時間設定手段とを備え、
前記ＰＷＭ変調作動可否判別手段では、前記電源電圧検出手段で検出した電源電圧が、前記基準電圧設定手段で設定した電源電圧の下限閾値以下になったと判別し、ＰＷＭ変調手段の作動をＯＮする出力を行っている時において、前記制御経過時間計測手段で計測した経過時間が、前記制御基準時間設定手段で設定した基準時間を経過した時には、前記突入電流制御手段による制御を終了することを特徴とする請求項１記載の昇圧電源作動時突入電流低減ユニット。
【請求項３】
前記突入電流制御手段は、車両に搭載したユニットに設けたことを特徴とする請求項１記載の昇圧電源作動時突入電流低減ユニット。
【発明の詳細な説明】
【技術分野】
【０００１】
本発明は、車両に搭載したヘッドユニット等のオーディオ装置において、昇圧電源を用いて大出力化するとき、その電源を入れて昇圧電源を作動させた時に、大量の突入電流の発生によってユニット全体の電源電圧が低下し、動作が不安定になることを防止した昇圧電源作動時突入電流低減ユニットに関する。
【背景技術】
【０００２】
車両のオーディオ装置は車の利用者にとって、車内で快適に過ごすためになくてはならないものとなっており、ほとんどの車両にはオーディオ装置を搭載している。このオーディオ装置を車両に取り付けるには、多くの場合車両の生産ラインにおいて取り付けられており、時には利用者の好みのオーディオ装置を別途購入し、これをカーディーラや車両関連機器販売店で取り付けてもらっている。
【０００３】
このようなカーオーディオ装置は、フロントパネル等に取り付けたヘッドユニットに、車内において音響効果のよい場所で、車内の利用者にとって邪魔にならない場所に、強固に固定されたスピーカを接続して使用する。このヘッドユニットには多くの場合ラジオ受信機能を備え、そのほかＣＤプレーヤ、テレビ受信機、ＤＶＤプレーヤ等々の各種機器を適宜選択して内蔵するものも多く、更には、ナビゲーション機能を備えるほか、ＣＤやＤＶＤのディスクチェンジャ等を接続して用いる場合もある。
【０００４】
このヘッドユニットは、それらの機器で生成したオーディオ信号をスピーカから適切な音量で出力するため、増幅器で音量を増幅して出力している。そのときには、車内においてできる限り音響効果が良いように、例えば４．１サラウンド等の音響効果が発揮できるように、その位置、音質等を調整されているスピーカから出力する。
【０００５】
一方、車両用のオーディオ装置においては、車両走行中に好みの音楽等を聴くため、車両のエンジン音、走行音、風切り音、併走車両音等、大きな騒音の環境下で聴くことが多い。そのため家庭用のオーディオ装置よりも大音量を必要とすることが多く、このような利用者の要求を満たすためには、一般の乗用車が搭載しているバッテリの電圧である１２Ｖでは適切な音質で所望の大容量を出力することは困難である。そのため、車両搭載のオーディオ装置ではパワーアンプの作動のためにバッテリ電源の１２Ｖを、例えば３０Ｖ、４０Ｖ等に昇圧して所望のパワーを得るようにしている。
【０００６】
このように大出力のオーディオ装置を用いると、その機能を搭載したヘッドユニット、或いは昇圧電源を備えたパワーアンプ単体等の電源を入れた時、突入電流と称する大電流が流れる。この大電流の突入電流は、車両のバッテリにとっては極めて大きな負荷に相当し、大きな電圧低下を生じる。そのため、電源を入れた時のヘッドユニット、更には車両搭載機器の各種機器が不安定な作動を行う。
【０００７】
その対策としてオーディオ装置においては、電源を入れた時に大電流が急激に流れないように、ソフトスタート機能を備えるようになっている。このソフトスタート機能としては従来より種々のものが提案されているが、例えば図３の機能ブロック図に示すようにソフトスタート機能を用いることが多い。
【０００８】
図３に示す例においては、ヘッドユニット等のオーディオ制御ユニット３２において、車両の１２Ｖのバッテリから電源ＳＷ３３を介して昇圧電源ＩＣ３５にバッテリ電圧を入力し、その出力をローパスフィルタ（ＬＰＦ）３９で波形成形し、スピーカ４０から出力する時、昇圧電源ＩＣ３５のＰＷＭ変調部３７では、三角波とデジタル化したオーディオ信号３４との比較によって可変幅のパルスを形成して、図示の例ではスイッチ作動部３８でスイッチング作動を行いながら増幅し、ローパスフィルタ３９側に出力している。
【０００９】
ここでソフトスタート制御部３６では、電源ＳＷ３３がＯＮする時、その信号を入力して、昇圧電源ＩＣから急激な大電流が流れないように、種々の手法によって制御を行う。この時のソフトスタート機能を有するＤＣ−ＤＣコンバータの例として図４に示すような構成が知られている。図４の例では降圧型ＤＣ−ＤＣコンバータを一例として挙げているが、同様に種々の回路に用いられる。
【００１０】
図４に示す例においては、基準電圧５３はバイアス回路８４とトランジスタ８２のドレインに接続されている。トランジスタ８２のゲートはバイアス回路８１と容量８３の接続点に結線されており、ソースはバイアス回路８５とノードとしてエラーアンプ５１の非反転入力端子に接続される。
【００１１】
エラーアンプ５１の反転入力端子はＦＢ端子７０に接続され、出力はＰＷＭコンパレータ５２の非反転入力端子に接続される。ＰＷＭコンパレータ５２の反転入力端子は三角波発生回路５４に接続され、出力はバッファー５７の入力端子に接続される。バッファー５７の出力端子はＥＸＴ端子７１に接続される。
【００１２】
外付けＮｃｈＦＥＴ６４のゲートはＥＸＴ端子６１に接続し、ドレインはコイル６２およびダイオードのアノードに接続し、ソースはグラウンドに接続する。コイルの反対側には並列に電源端子６０と容量６１が接続する。ダイオードのカソードは容量６５と出力端子７２接続される。出力端子７２は抵抗６７および容量６６に並列に接続する。抵抗
８は抵抗６７に接続し、この接続点がＦＢ端子７０に接続する。
【００１３】
ここで、電源端子６０とグラウンド７３の間に電源電圧が供給されると、バイアス回路８１から電流が流れ、容量８３に電荷が蓄積され、トランジスタ８２のゲート電圧は徐々に上昇していく。こうしてトランジスタ８２は徐々にオンしていき、ノードは徐々に基準電圧まで上昇していく。
【００１４】
エラーアンプの非反転端子が徐々に上昇するため、出力も徐々に上昇していく。このため、ＰＷＭコンパレータ５２の出力は、徐々に上昇するエラーアンプ５１の出力と三角波発生回路５４の出力を比較することで、細いｄｕｔｙのパルスから徐々に太いｄｕｔｙのパルスを出力していく。
【００１５】
このパルスはバッファー５７を介して外付けＮｃｈＦＥＴ６４のゲートに入力し、徐々に出力電圧が上昇するように制御している。このように出力電圧を徐々に上がるように制御することで、オーバーシュートや突入電流の発生を防ぐようにしている。
【００１６】
なお、外部から入力されるリセット信号のパルス幅が小さくても、その後のソフトスタート動作における出力電圧のオーバーシュート対策とし、電源電圧にかかわらず、起動時間を一定とし、出力電圧の変動を抑制するソフトスタート回路は特許文献１に開示されている。
【００１７】
また、スイッチング電源装置として構成された電源装置は、変圧開始時の入力電圧値を検出し、目標電圧値に至るまでの時間が一定となるように、検出した入力電圧値に基づいて、容量の端子間電圧を所定の割合で増加させ、端子間電圧に基づくオンデューティー上限値に相当する駆動制御信号を生成し、スイッチング素子に出力することにより、電源電圧にかかわらず、起動時間を一定とし、出力電圧の変動を抑制する技術は特許文献２に開示されている。
【００１８】
また、過負荷状態が発生して出力電圧が低下しても素早くリカバーし、しかもその後の出力電圧のオーバーシュートを対策することのできるスイッチング電源装置は特許文献３に開示されており、また、容量のスイッチング素子を用いることなく、スイッチング素子を突入電流から保護することができ、スイッチング制御の適切な開始及び安定した制御を可能とするスイッチング昇圧電源回路は特許文献４に開示されている。
【００１９】
また、入力電圧の変化を検出する入力電圧検出回路を有し、入力電圧検出回路が入力電圧の変化から電圧降下を検出した場合に、可変発振器の発振周波数を遅くして昇圧用容量への充電時間を長くすることにより、入力電圧の電圧降下を小さくすることで、安定して出力電圧が起動できるようにした技術は特許文献５に開示されている。
【先行技術文献】
【特許文献】
【００２０】
【特許文献１】特開２０１０−２５９１８８号公報
【特許文献２】特開２０１０−２２６９１７号公報
【特許文献３】特開２０１０−１３６５７２号公報
【特許文献４】特開２００８−１２５１８０号公報
【特許文献５】特開２００６−１４４１８号公報
【発明の概要】
【発明が解決しようとする課題】
【００２１】
前記図４に例示したようなソフトスタート回路はＦＥＴトランジスタに流れる突入電流を抑制するためソフトスタート時間として数ｍｓが要求される。その条件を満たすためには、定電流回路８１の電流を所定電流とするためにはその部分の容量を１００ｐＦ程度の大容量が必要になる。そのためチップサイズが増大する問題がある。
【００２２】
一方、定電流値を小さくすれば同じ容量値でソフトスタート時間を長くすることが可能となるが、定電流値を微小電流にすると高温時のリーク電流などが無視できない大きさになり、ソフトスタート回路が動作不良を起こす原因となる。このため、容量値を変えず定電流値を小さくすることで、チップサイズを変えることなくソフトスタート時間を長くすることには限界があり、充分なソフトスタート機能を行うことができない場合がある。
【００２３】
更に、前記のような従来から提案されているソフトスタートの各技術においても、未だ電源電圧を所定以内に維持しながら、突入電流を確実に、且つ簡単な手段によって防止する技術は確立されていない。
【００２４】
したがって本発明は、昇圧電源を備えたオーディオ装置のユニットにおいて、電源を入れた時に大きな突入電流が流れ、内部回路素子の損傷やユニットの不安定作動、更には同じ電源で作動する各種機器の不安定作動を確実に、且つ簡単な手段により防止することができる昇圧電源作動時突入電流低減ユニットを提供することを主たる目的とする。
【課題を解決するための手段】
【００２５】
本発明に係る昇圧電源作動時突入電流低減ユニットは、前記課題を解決するため、ＰＷＭ変調手段によるスイッチ作動によって電源電圧を昇圧してスピーカに出力するオーディオユニットにおいて、前記ユニットに入力する電源電圧を検出する電源電圧検出手段と、前記電源電圧の下限値と上限値を設定する基準電圧設定手段と、前記電源電圧検出手段で検出した電圧が、前記基準電圧設定手段で設定した電源電圧の下限閾値以下になったか、或いは前記基準電圧設定手段で設定した電源電圧の上限閾値以上になったか否かを判別し、下限閾値以下になったと判別した時には前記ＰＷＭ変調手段の作動をＯＦＦし、前記上限閾値以上になった時には前記ＰＷＭ変調手段の作動をＯＮする出力を行うＰＷＭ変調作動可否判別手段とからなる突入電流制御手段を備えたことを特徴とする。
【００２６】
また、本発明に係る他の昇圧電源作動時突入電流低減ユニットは、前記昇圧電源作動時突入電流低減ユニットにおいて、前記突入電流制御手段で制御を開始してからの経過時間を計測する制御経過時間計測手段と、前記突入電流制御開始後の経過時間の基準時間を設定する制御基準時間設定手段とを備え、前記ＰＷＭ変調作動可否判別手段では、前記電源電圧検出手段で検出した電源電圧が、前記基準電圧設定手段で設定した電源電圧の下限値以下になったと判別し、ＰＷＭ変調手段の作動をＯＮする出力を行っている時において、前記制御経過時間計測手段で計測した経過時間が、前記制御基準時間設定手段で設定した基準時間を経過した時には、前記突入電流制御手段による制御を終了することを特徴とする。
【００２７】
また、本発明に係る他の昇圧電源作動時突入電流低減ユニットは、前記昇圧電源作動時突入電流低減ユニットにおいて、前記突入電流制御手段は、車両に搭載したユニットに設けたことを特徴とする。
【発明の効果】
【００２８】
本発明は上記のように構成したので、昇圧電源を備えたオーディオ装置のユニットにおいて、電源を入れた時に大きな突入電流が流れ、内部回路素子の損傷やユニットの不安定作動、更には同じ電源で作動する各種機器の不安定作動を、従来のソフトスタート機能よりも確実に、且つ簡単な手段により防止することができる。また、電源電圧が低下している時でも、突入電流の制御を確実に行うことができるようになる。
【図面の簡単な説明】
【００２９】
【図１】本発明の実施例の機能ブロック図である。
【図２】同実施例の作動フロー図である。
【図３】従来のソフトスタート機能を備えた機能ブロック図である。
【図４】従来のソフトスタート機能を備えた回路図の一例である。
【発明を実施するための形態】
【実施例】
【００３０】
本発明の実施例を図面に沿って説明する。図１は本発明の実施例の機能ブロック図を示している。なお、同図及び他の各図において、各機能を行う機能部は、それぞれ各機能を行う手段ということができる。
【００３１】
図１に示す例においては、前記図３の従来技術と同様の態様によって作動する昇圧電源を用いたオーディオ制御ユニット２の例を示している。即ち、図１の例においては、車両に搭載するヘッドユニット等のオーディオ装置において、特にオーディオ信号４をＰＷＭ変調部６を用いたスイッチ作動部７を作動させ、バッテリ１の電圧を昇圧する昇圧電源ＩＣ５を備えており、その出力をローパスフィルタ（ＬＰＦ）８で波形成形してスピーカ９に出力していることは前記従来例と同様である。
【００３２】
本発明においては特に突入電流制御部１１を備え、このオーディオ制御ユニット２とバッテリ１との接続部に設けた電源ＳＷ３の信号を電源ＯＮ作動検出部１２で取り込んでいる。突入電流制御部１１においては、この電源ＯＮ作動検出部１２でオーディオ制御ユニット２の電源ＯＮを検出した時、ＰＷＭ変調部６に対して、そのＰＷＭ変調の作動を行って良いか否かの信号を出力する制御信号出力部１５に対して、ＰＷＭ変調部６の作動を開始するための信号を出力し、それによりＰＷＭ変調部６はその作動を開始するようにしている。
【００３３】
また、電源ＯＮ作動検出部１２で電源ＯＮになったことを検出した時、制御時間計測部１６に信号を出力し、後述する制御時間が制限時間になったことを検出するための時間の計測を開始させる。
【００３４】
電源ＳＷ３が前記のようにＯＮになったとき、オーディオ制御ユニットに入るバッテリ１の電圧を、Ａ／Ｄ変換部１３を介して電源電圧検出部１４で検出し、後述するＰＷＭ変調作動可否判別部２１に出力する。制御信号出力部１５では前記のようにＰＷＭ変調器の作動の可否の信号を出力するものであり、主としてＰＷＭ変調作動可否判別部２１の判別結果による出力によってＰＷＭ変調部６の作動をＯＮ、ＯＦＦする。
【００３５】
なお、ＰＷＭ変調部６で変調作動を行わない時にはスイッチ作動部７が作動せず、昇圧電源は作動せず、変調作動を行う時には定常の昇圧作動を行う。それにより、昇圧作動を行わない時にはカットされ、ここに突入電流が流れる状態の時でもそれをカットすることができる。
【００３６】
制御経過時間計測部１６では、前記のように電源ＯＮ作動検出部１２でこのオーディオ制御ユニット２で電源がＯＮしたことを検出した時その信号を入力して、それ以降の時間、即ち、突入電流制御を行っている時間の計測を開始する。その計測時間はＰＷＭ変調作動可否判別部２１に出力する。
【００３７】
制御基準時間設定部１７では、この突入電流制御部１１で突入電流の制御を行う時間を設定するものであり、特にこの制御に際して後述する基準電圧設定部１８の例えば１０Ｖ等の上限閾値を超えた状態で、例えばｔ１＝１００ｍｓを経過した時には、突入電流はその後安定したものとして、ＰＷＭ変調作動可否判別部２１では以降はＰＷＭ変調の作動は必要ないものと判別し、制御信号出力部１５からそれ以降ＰＷＭ変調の作動を停止する出力は行わないようにする。
【００３８】
なお、制御基準時間設定部１７では必要に応じて前記ｔ１より長い時間のｔ２を設定し、突入電流制御部１１の長時間制御により、本来は突入電流が生じない状態にも関わらず、ＰＷＭ変調の行わない時でも、電圧が前記上限閾値のＶ２＝１０Ｖを超えない状態が継続している時には、このままではオーディオユニットが実質的に作動しなくなるので、以降はこの突入電流制御を行わないようにすることもできる。
【００３９】
基準電圧設定部１８では、前記のように制御信号出力部１５でＰＷＭ変調部６の作動をＯＮした時、特に突入電流によって電源電圧が例えば９Ｖ等の下限閾値Ｖ１以下になった時、ＰＷＭ変調の作動、即ち電源の昇圧作動を行わせないようにし、それ以降例えば１０Ｖ等の上限閾値Ｖ２以上になった時にはＰＷＭ変調部６の作動を行わせる制御を行うための基準電圧を設定する。図示する例においては、上限閾値１９をＶ２＝１０Ｖ、下限閾値２０をＶ１＝９Ｖに設定した例を示したが、この値は必要に応じて任意に設定することができる。
【００４０】
ＰＷＭ変調可否判別部２１では、前記のようにその判別結果により制御信号出力部１５からＰＷＭ変調部６の作動の可否の出力、即ちＰＷＭ変換部の作動のＯＮ、ＯＦＦ制御を行うものであり、ＰＷＭ変調部６の作動を可とするとき作動ＯＮ２２の信号を出力し、その作動を否とするときには作動ＯＦＦ２３の信号を出力する。
【００４１】
ＰＷＭ変調部６の作動をＯＮする時としては、例えば次のような状態が存在する。即ち、前記電源ＯＮ検出部１２で電源がＯＮになったことを検出し、それにより突入電流制御部１１の作動を開始した時。及び前記のように電源電圧検出部１４で検出した電源電圧が、前記基準電圧設定部１８で設定した上限閾値以上に上昇した時。
【００４２】
及びＰＷＭ変調部６の作動をＯＮした状態で、、前記制御経過時間計測部１６で計測した経過時間が、制御基準時間設定部１７で設定した例えば１００ｍｓ等の所定の時間を経過した時にはそのＯＮの状態を以降も継続する。更には必要に応じてＰＷＭ変調部６の作動をＯＦＦしていても電源電圧が所定以上上昇しない状態が所定時間（ｔ２）以上継続した時には、オーディオユニットの作動のために以降は強制的にＯＮする等の作動を行っても良い。
【００４３】
また、ＰＷＭ変調か否判別部２１でＰＷＭ変調部の作動をＯＦＦするための作動ＯＦＦ２３の信号を出力する時としては、前記のように突入電流作動制御期間中において作動ＯＮ２２とした結果、電源電圧が下限閾値以下にまで降下してしまった時に、ＰＷＭ変調部６の作動をＯＦＦする。この作動によって突入電流による電源電圧の低下が防止され、ユニット等は安定して作動可能となる。
【００４４】
前記のような機能ブロックからなる本発明においては、例えば図２に示すような作動フローに従って順に作動させることにより、本発明の昇圧電源作動による突入電流低減処理を行わせることができる。即ち、図２に示す昇圧電源作動による突入電流低減処理においては、最初ユニット電源のＯＮを検出することから開始している（ステップＳ１）。
【００４５】
このユニット電源のＯＮの検出により突入電流低減処理が開始され（ステップＳ２）、直ちに経過時間の計測を開始する（ステップＳ３）。この時、経過時間を計測するタイマーはｔ＝０にリセットする。次いでＰＷＭ変調の作動をＯＮする信号を出力する（ステップＳ４）。
【００４６】
前記作動は、図１の電源ＳＷ３をＯＮする時、これを突入電流制御部１１の電源ＯＮ作動検出部１２が検出し、制御信号出力部１５からＰＷＭ変調部６に対して作動を開始するＯＮ信号を出力させると共に、制御経過時間計測部１６で経過時間の計測を開始させることにより行っている。
【００４７】
その後電源電圧は下限閾値以下になったか否かを判別する（ステップＳ５）。ここで例えば９Ｖ等の下限閾値以下に低減したと判別した時には、ステップＳ８に進んでＰＷＭ変調の作動をＯＦＦする信号を出力する。
【００４８】
この作動は、図１のＰＷＭ変調作動可否判別部２１において、前記のようにＰＷＭ変調部８を作動させた状態で、電源電圧検出部１４で検出した電圧が、基準電圧設定部１８の下限閾値（Ｖ１＝９Ｖ）以下になったか否かを判別し、以下になったと判別した時には突入電流による電圧低下であるものとして、ＰＷＭ変調部６に作動をＯＦＦする出力をすることにより行っている。
【００４９】
その後電源電圧は上限閾値以上になったか否かを判別する（ステップＳ９）。ここで未だ上限閾値以上になっていないと判別した時には、図示の例ではこのまま、即ちＰＷＭ変調を行わない状態で待機する。但し、ここで例えば制御基準時間設定部１７で２００ｍｓ等の所定時間を経過した時には、ステップＳ７に進んで突入電流制御用ＰＷＭ変調作動を停止しても良い。
【００５０】
ステップＳ９で電源電圧が例えば１０Ｖ等の上限閾値以上になったと判別した時には、ステップＳ４に戻って、ＰＷＭ変調作動をＯＮする信号を出力する。以降は前記のような作動を繰り返すことにより、突入電流により電源電圧が９Ｖ以下になってしまった時にはＰＷＭ変調部の作動を停止することによって昇圧作動を停止し、その昇圧作動の停止によって電源電圧が１０Ｖ以上に戻った時にはＰＷＭ変調部の作動をＯＮするという一連の作動を継続することができる。
【００５１】
前記作動を継続している過程において、ステップＳ５でＰＷＭ変調がＯＮした状態でも電源電圧は９Ｖ等の下限閾値以下にはなっていないと判別した時にはステップＳ６に進み、制御を開始してからの経過時間は、例えば１００ｍｓ等の所定時間を経過したか否かを判別し、未だこの時間を経過していないと判別した時にはステップＳ５に戻って、電源電圧は下限閾値以下になったか否かを判別し、前記作動を繰り返す。
【００５２】
この作動は図１のＰＷＭ変調作動可否判別部２１で、ＰＷＭ変調の作動をＯＮしているとき、電源電圧検出部１４の電圧が基準電圧設定部１８の下限閾値２０以下にならない状態で、制御経過時間計測部１６で計測した時間が制御基準時間設定部１７で設定した１００ｍｓ等の所定時間が経過したか否かを判別することにより行っている。
【００５３】
ステップＳ６において経過時間が前記のように１００ｍｓ等の所定時間を経過したと判別した時には、ステップＳ７に進んで、この突入電流制御用ＰＷＭ変調作動制御の処理を終了する。即ち、ここではＰＷＭ制御を行って昇圧電源を作動させている時、制御開始から通常の突入電流は消滅する時間になって電源電圧が下限閾値以下にならない時には、電源電圧は安定しており、以降のＰＷＭ変調部の突入電流低減のための制御は必要ないものとして、この一連の処理を終了する。
【符号の説明】
【００５４】
１  バッテリ
２  オーディオ制御ユニット
３  電源ＳＷ
４  オーディオ信号
５  昇圧電源ＩＣ
６  ＰＷＭ変調部
７  スイッチ作動部
８  ＬＰＦ
９  スピーカ
１１  突入電流制御部
１２  電源ＯＮ作動検出部
１３  Ａ／Ｄ変換部
１４  電源電圧検出部
１５  制御信号出力部
１６  制御経過時間計測部
１７  制御基準時間設定部
１８  基準電圧設定部
１９  上限閾値
２０  下限閾値
２１  ＰＷＭ変調作動可否判別部
２２  作動ＯＮ
２３  作動ＯＦＦ
【図１】
2012235651.tif 000003
【図２】
2012235651.tif 000004
【図３】
2012235651.tif 000005
【図４】
2012235651.tif 000006